(57)【要約】      （修正有）【課題】まつ毛全体にパーマネントを施す際に、瞼の形状にフィットするとともに、ガイドに沿ってパーマ液を塗布することができるまつ毛パーマ用ロッド部材を提供する。【解決手段】まつ毛パーマ用ロッド部材１は、瞼に接着する面とまつ毛を固定する面とを有する基部２を有し、基部に一体成形で連設されるカール部３には、複数の畝状に形成された凸部ガイド４が形成され、凸部ガイドと基部とによりスリット（溝）５が形成されている。また、まつ毛パーマ用ロッド部材の下端部は、上端部方向に湾曲して成形されている。【選択図】図１
0003200010.tif 000002
【実用新案登録請求の範囲】
【請求項１】
まつ毛にパーマネントを施すためのまつ毛パーマ用ロッド部材であって、
瞼に接着される面と、まつ毛を固定する面とを有する基部と、
前記基部に連設されたカール部が、前記基部と一体に成形され、
前記カール部が、複数の畝状に形成された凸部形状からなり、
前記ロッド部材の下端部が、上端部方向に湾曲されて成形されていることを特徴とする、まつ毛パーマ用ロッド部材。
【請求項２】
請求項１に記載のまつ毛パーマ用ロッド部材において、
前記カール部の畝が、
下端部中央から長手方向に両端部へ向かうにつれて、前記畝の一本ごとの太さが漸次太くなっていることを特徴とする、
まつ毛パーマ用ロッド部材。
【考案の詳細な説明】
【技術分野】
【０００１】本考案は、まつ毛にパーマを施す際に用いられるまつ毛パーマ用のロッド部材に関する。
【背景技術】
【０００２】従来より、まつ毛にパーマを施すためにまつ毛パーマ用のロッド部材が広く用いられている。例えば、特開２００３−２９９５２０号公報に開示されるまつ毛パーマ用ロッド部材は、正面図形が蒲鉾形状で、まつ毛パーマ用のロッド部材のカール部に切り溝を等間隔に入れることで、瞼の形状に湾曲しやすくし、接着剤等の使用を極力抑えることで、パーマ用ロッドの耐久性、寿命をより改善している。
【考案が解決しようとする課題】
【０００３】しかしながら、上記公報に示されたまつ毛パーマ用ロッド部材は、湾曲して使用する時に、ロッド部材下端部の形状が瞼の形状にフィットせず、使用中にロッド部材が剥離するおそれがある。
【０００４】また、まつ毛にパーマを施す際に、ガイドとなるものが無く、まつ毛パーマ液が一本一本に浸透せず、ムラが出てしまうことで、ダマになってしまうなど、きれいにまつ毛にパーマを施すことができないという不便さがある。
【０００５】本考案は、上記の課題を解決し、瞼の形状に適切にフィットし、かつ、まつ毛にパーマを施す際にガイドに沿ってパーマ液を塗布することができるまつ毛パーマ用ロッド部材を提供することを目的とする。
【課題を解決するための手段】
【０００８】本考案にかかるまつ毛パーマ用ロッドは、瞼に接着される面と、まつ毛を固定する面とを有する基部と、前記基部に連設されたカール部が、前記基部と一体に成形され、前記カール部が、複数の畝状に形成された凸部形状からなり、前記ロッド部材の下端部が、上端部方向に湾曲されて成形されていることを特徴とする。
【考案の効果】
【０００９】かかる構成によれば、ロッド部材の下端部が、あらかじめ上端部方向に湾曲していることで、瞼に接着させる際、ロッド部材下端部が瞼の形状にフィットしやすい。
【００１０】また、ロッド部材に、畝状の凸部ガイドが形成され、まつ毛の太さに対応するスリット（溝）ができることで、まつ毛パーマを施す際に、スリット（溝）にまつ毛が入ることで確実に一本一本パーマ液が浸透するため、きれいな仕上がりになる。
【００１１】本考案の第２のまつ毛パーマ用ロッドは、畝状に形成された凸部形状の前記カール部が、下端部中央から長手方向に両端部へ向かうにつれて、一本ごとの畝の太さが漸次太くなっていることを特徴とする。
【００１２】かかる構成によれば、畝状の凸部ガイドの太さ及び高さが、下端部中央から長手方向の両端部に向かうにつれて太くなるため、スリット（溝）に入るまつ毛の量が変わり、パーマをあてたときに、中央は左右両端部に比べてガイドに沿って一本一本まつ毛がカールされることになり、より自然で立体的な仕上がりになる。
【図面の簡単な説明】
【００１１】
【考案を実施するための形態】
以下、図面を参照して本考案の実施するための形態を説明する。
【００１２】図１（ａ）は、本考案のまつ毛パーマ用ロッド部材の形態を示している。まつ毛パーマ用ロッド部材１は、基部２と、それに連設されたカール部３から形成されていることを示している。図１（ｂ）は、Ａ−Ａ線の断面図であり、基部２と、カール部３とは一体成型されている。なお、本図面に書かれているカール部３の畝状の凸部ガイド４の本数は、簡素化して理解をしやすくするために書いているため、実際の製品の畝状の凸部ガイドは本図面の畝の本数よりも多い本数であっても、また、逆に少ない本数であってもよい。
【００１３】カール部３は、畝状の凸部ガイド４から形成されており、畝状の凸部ガイド４と基部２とでスリット（溝）５が形成される。
【００１４】カール部３は、下端部に向かって高くなっている方が、まつ毛の立ち上がり角度が高くなるため、より大きくカールをつけることができるため望ましい。
【００１５】また、人間のまつ毛の太さは、一般に０．１〜０．１５ｍｍ程度であるため、ロッド部材に設けられるカール部３を形成する畝状の凸部ガイド４の高さ及び太さは、畝状の凸部ガイド４と基部２とで形成されるスリット（溝）５にまつ毛が沿うように、０．１５ｍｍ程度あることが好ましい。ただし、これ以下であっても、ガイドとして畝及びスリットは機能する。
【００１６】カール部３を形成する畝状の凸部ガイド４の高さは、長手方向の中央の畝が最も高いように形成することもできる。この場合、パーマをかけた際に中央部分のまつ毛がより大きくカールされるため、より立体的にパーマが仕上がる。
【００１７】次に、図２（ａ）は、本考案の第２の実施例であるまつ毛パーマ用ロッド部材の形態の正面図である。なお、こちらも、図１と同様、本図面に書かれているカール部３の畝状の凸部ガイド４の本数を、簡素化して理解をしやすくするために書いているため、実際の製品の畝状の凸部ガイドは本図面の畝の本数よりも多い本数であっても、また、逆に少ない本数であってもよい。図２（ｂ）は、図２（ａ）の底面図である。
【００１８】カール部３を形成する畝状の凸部ガイド１４の太さが、長手方向中央から左右両端部にかけて漸次太くなるように形成されている。これにより、畝状の凸部ガイド１４と基部とでスリット（溝）１５が形成される。
【００１９】次に、本考案の第２の実施例のまつ毛パーマ用ロッド部材の実際の使用例を、図３を用いて説明する。なお、図３では上まつ毛に適用した例であるが、本考案にかかるまつ毛パーマ用ロッド部材は、下まつ毛にも適用できることは言うまでもない。
【００２０】まず、まつ毛パーマ用ロッド部材１が、瞼に接着される。この接着は、接着剤をまつ毛パーマ用ロッド部材１に塗布する方法や、両面テープをまつ毛パーマ用ロッド部材に貼る方法で行ってもよいが、あらかじめまつ毛パーマ用ロッド部材１の接着面に粘着性の高い素材を用いておくことで接着性を持たせてもよい。このとき、まつ毛パーマ用ロッド部材１の下端部が、瞼形状に対応するように上端部側に向かって湾曲していることで、接着がしやすい。
【００２１】次に、パーマ液を含浸させた綿棒等で、まつ毛３６が、畝状の凸部ガイド１４を介してスリットに入れつつ、基部２にまでまつ毛が至るよう、パーマ液を塗布していく。このとき、中央部は、スリット（溝）１５の数が多いため、綿棒等で一本一本がスリット（溝）１５に簡単に入りやすく、基部２までまつ毛３６が到達したあと、パーマ液がまつ毛３６に浸透しやすい。それに対して、左右端部にかけて畝状の凸部ガイド１４の太さが太くなっており、左右端部にかけては２〜３本のまつ毛３６がまとまって一つのスリット（溝）１５に入ることになる。その後、１０分程度乾燥させることで、パーマがかかる。これにより、まつ毛３６の中央部は、一本一本がくっつかずに綺麗にパーマがかかるが、左右端部にかけて次第に複数のまつ毛３６が、まとまってパーマがかかることになり、不自然に全部のまつ毛３６にパーマがかかりすぎることなく、自然な仕上がりになる。
【発明の効果】
【００２２】本考案によれば、まつ毛パーマ用ロッド部材の下端部が、上端部方向に湾曲して形成されているため、瞼に適切にフィットする。また、畝状の凸部ガイドを有して形成されているため、基部と畝状の凸部ガイドとで形成されるスリットに、まつ毛を入れることができ、ガイドに沿って綺麗に仕上がる。また、畝状の凸部ガイドの畝の太さが、長手方向に中央部から左右両端部にかけて太くなっていることで、立体的かつ自然にまつ毛にパーマをあてることができる。
【符号の説明】１：まつ毛パーマ用ロッド
２：基部
３：カール部
４、１４：畝状の凸部ガイド
５、１５：スリット（溝）
３６：まつ毛
【図１】
0003200010.tif 000003
【図２】
0003200010.tif 000004
【図３】
0003200010.tif 000005
【手続補正書】
【提出日】平成27年7月29日(2015.7.29)
【手続補正２】
【補正対象書類名】明細書
【補正対象項目名】全文
【補正方法】変更
【補正の内容】
【考案の詳細な説明】
【技術分野】
【０００１】本考案は、まつ毛にパーマを施す際に用いられるまつ毛パーマ用のロッド部材に関する。
【背景技術】
【０００２】従来より、まつ毛にパーマを施すためにまつ毛パーマ用のロッド部材が広く用いられている。例えば、特開２００３−２９９５２０号公報に開示されるまつ毛パーマ用ロッド部材は、正面図形が蒲鉾形状で、まつ毛パーマ用のロッド部材のカール部に切り溝を等間隔に入れることで、瞼の形状に湾曲しやすくし、接着剤等の使用を極力抑えることで、パーマ用ロッドの耐久性、寿命をより改善している。
【考案が解決しようとする課題】
【０００３】しかしながら、上記公報に示されたまつ毛パーマ用ロッド部材は、湾曲して使用する時に、ロッド部材下端部の形状が瞼の形状にフィットせず、使用中にロッド部材が剥離するおそれがある。
【０００４】また、まつ毛にパーマを施す際に、ガイドとなるものが無く、まつ毛パーマ液が一本一本に浸透せず、ムラが出てしまうことで、ダマになってしまうなど、きれいにまつ毛にパーマを施すことができないという不便さがある。
【０００５】本考案は、上記の課題を解決し、瞼の形状に適切にフィットし、かつ、まつ毛にパーマを施す際にガイドに沿ってパーマ液を塗布することができるまつ毛パーマ用ロッド部材を提供することを目的とする。
【課題を解決するための手段】
【０００８】本考案にかかるまつ毛パーマ用ロッドは、瞼に接着される面と、まつ毛を固定する面とを有する基部と、前記基部に連設されたカール部が、前記基部と一体に成形され、前記カール部が、複数の畝状に形成された凸部形状からなり、前記ロッド部材の下端部が、上端部方向に湾曲されて成形されていることを特徴とする。
【考案の効果】
【０００９】かかる構成によれば、ロッド部材の下端部が、あらかじめ上端部方向に湾曲していることで、瞼に接着させる際、ロッド部材下端部が瞼の形状にフィットしやすい。
【００１０】また、ロッド部材に、畝状の凸部ガイドが形成され、まつ毛の太さに対応するスリット（溝）ができることで、まつ毛パーマを施す際に、スリット（溝）にまつ毛が入ることで確実に一本一本パーマ液が浸透するため、きれいな仕上がりになる。
【００１１】本考案の第２のまつ毛パーマ用ロッドは、畝状に形成された凸部形状の前記カール部が、下端部中央から長手方向に両端部へ向かうにつれて、一本ごとの畝の太さが漸次太くなっていることを特徴とする。
【００１２】かかる構成によれば、畝状の凸部ガイドの太さ及び高さが、下端部中央から長手方向の両端部に向かうにつれて太くなるため、スリット（溝）に入るまつ毛の量が変わり、パーマをあてたときに、中央は左右両端部に比べてガイドに沿って一本一本まつ毛がカールされることになり、より自然で立体的な仕上がりになる。
【図面の簡単な説明】
【００１３】
【図１】図１（ａ）は、本考案のまつ毛パーマ用ロッド部材の第１の実施例のロッド部材の正面図である。図１（ｂ）は、図１（ａ）のＡ−Ａ線断面図である。
【図２】図２（ａ）は、本考案のまつ毛パーマ用ロッド部材の第２の実施例のロッド部材の正面図である。図２（ｂ）は、第２の実施例のロッド部材の底面図である。
【図３】図３は、第２の実施例のロッド部材の使用例である。
【考案を実施するための形態】
【００１４】以下、図面を参照して本考案の実施するための形態を説明する。
【００１５】図１（ａ）は、本考案のまつ毛パーマ用ロッド部材の形態を示している。まつ毛パーマ用ロッド部材１は、基部２と、それに連設されたカール部３から形成されていることを示している。図１（ｂ）は、Ａ−Ａ線の断面図であり、基部２と、カール部３とは一体成型されている。なお、本図面に書かれているカール部３の畝状の凸部ガイド４の本数は、簡素化して理解をしやすくするために書いているため、実際の製品の畝状の凸部ガイドは本図面の畝の本数よりも多い本数であっても、また、逆に少ない本数であってもよい。
【００１６】カール部３は、畝状の凸部ガイド４から形成されており、畝状の凸部ガイド４と基部２とでスリット（溝）５が形成される。
【００１７】カール部３は、下端部に向かって高くなっている方が、まつ毛の立ち上がり角度が高くなるため、より大きくカールをつけることができるため望ましい。
【００１８】また、人間のまつ毛の太さは、一般に０．１〜０．１５ｍｍ程度であるため、ロッド部材に設けられるカール部３を形成する畝状の凸部ガイド４の高さ及び太さは、畝状の凸部ガイド４と基部２とで形成されるスリット（溝）５にまつ毛が沿うように、０．１５ｍｍ程度あることが好ましい。ただし、これ以下であっても、ガイドとして畝及びスリットは機能する。
【００１９】カール部３を形成する畝状の凸部ガイド４の高さは、長手方向の中央の畝が最も高いように形成することもできる。この場合、パーマをかけた際に中央部分のまつ毛がより大きくカールされるため、より立体的にパーマが仕上がる。
【００２０】次に、図２（ａ）は、本考案の第２の実施例であるまつ毛パーマ用ロッド部材の形態の正面図である。なお、こちらも、図１と同様、本図面に書かれているカール部３の畝状の凸部ガイド４の本数を、簡素化して理解をしやすくするために書いているため、実際の製品の畝状の凸部ガイドは本図面の畝の本数よりも多い本数であっても、また、逆に少ない本数であってもよい。図２（ｂ）は、図２（ａ）の底面図である。
【００２１】カール部３を形成する畝状の凸部ガイド１４の太さが、長手方向中央から左右両端部にかけて漸次太くなるように形成されている。これにより、畝状の凸部ガイド１４と基部とでスリット（溝）１５が形成される。
【００２２】次に、本考案の第２の実施例のまつ毛パーマ用ロッド部材の実際の使用例を、図３を用いて説明する。なお、図３では上まつ毛に適用した例であるが、本考案にかかるまつ毛パーマ用ロッド部材は、下まつ毛にも適用できることは言うまでもない。
【００２３】まず、まつ毛パーマ用ロッド部材１が、瞼に接着される。この接着は、接着剤をまつ毛パーマ用ロッド部材１に塗布する方法や、両面テープをまつ毛パーマ用ロッド部材に貼る方法で行ってもよいが、あらかじめまつ毛パーマ用ロッド部材１の接着面に粘着性の高い素材を用いておくことで接着性を持たせてもよい。このとき、まつ毛パーマ用ロッド部材１の下端部が、瞼形状に対応するように上端部側に向かって湾曲していることで、接着がしやすい。
【００２４】次に、パーマ液を含浸させた綿棒等で、まつ毛３６が、畝状の凸部ガイド１４を介してスリットに入れつつ、基部２にまでまつ毛が至るよう、パーマ液を塗布していく。このとき、中央部は、スリット（溝）１５の数が多いため、綿棒等で一本一本がスリット（溝）１５に簡単に入りやすく、基部２までまつ毛３６が到達したあと、パーマ液がまつ毛３６に浸透しやすい。それに対して、左右端部にかけて畝状の凸部ガイド１４の太さが太くなっており、左右端部にかけては２〜３本のまつ毛３６がまとまって一つのスリット（溝）１５に入ることになる。その後、１０分程度乾燥させることで、パーマがかかる。これにより、まつ毛３６の中央部は、一本一本がくっつかずに綺麗にパーマがかかるが、左右端部にかけて次第に複数のまつ毛３６が、まとまってパーマがかかることになり、不自然に全部のまつ毛３６にパーマがかかりすぎることなく、自然な仕上がりになる。
【発明の効果】
【００２５】本考案によれば、まつ毛パーマ用ロッド部材の下端部が、上端部方向に湾曲して形成されているため、瞼に適切にフィットする。また、畝状の凸部ガイドを有して形成されているため、基部と畝状の凸部ガイドとで形成されるスリットに、まつ毛を入れることができ、ガイドに沿って綺麗に仕上がる。また、畝状の凸部ガイドの畝の太さが、長手方向に中央部から左右両端部にかけて太くなっていることで、立体的かつ自然にまつ毛にパーマをあてることができる。
【符号の説明】１：まつ毛パーマ用ロッド
２：基部
３：カール部
４、１４：畝状の凸部ガイド
５、１５：スリット（溝）
３６：まつ毛